(57)【要約】      （修正有）【課題】カバーに孔を開けなくても、振動板が変形しない事により、歪み等の異常音が発生しないし、迫力のある低音域が再生出来るし、また防水効果も発揮できる張力フィルム構造のイヤホンを提供する。【解決手段】ハウジング２の内部構造に受動的な張力フィルム構造７を追加するイヤホンであり、前記張力フィルム構造７のフィルムが膨らむ事によって、イヤホン装着時などの際に生じる空気圧力による振動板の変形を抑える事が出来る。通常の電気信号を印加しても、張力フィルム構造７のイヤホンによって、非常に良い音が再生出来るし、特に低音域が力強く再生出来る。また、張力フィルムが取り付けられているので、容積の小さな構造に見えるかもしれないが、容積の大きなイヤホンに匹敵する低音域が再生する事が出来る。水の中で聴く事が出来る製品でもある。【選択図】図３
0003181496.tif 000002
【実用新案登録請求の範囲】
【請求項１】
本考案は、張力を用いたフィルム構造を有するイヤホンである。
カバー、ハウジング、イヤーピース、フィルター、ユニットで組み立てられて、イヤーピースはカバーの凸端に被せて、その端の出口にフィルターが取り付けられ、ユニットはカバーに取り付けられており、ハウジングはカバーと組み合わせる構造に成る。ハウジングに張力フィルム構造が取り付けられ、ハウジングの端に凸部が設けられている。凸部とハウジングの構造は排気効果の関係になる。また、ハウジングの中に一つ或いはそれ以上の張力フィルム構造を設ける事が出来る。
【請求項２】
権利要求１が述べる様に、張力フィルム構造のイヤホンの特徴は、張力フィルム構造の平面基材と枠で組み立てられている。平面基材の上下表面にはコンポジットが設けられていて、平面基材の周りにエッジが取り付けられている。平面基材の一番外側に枠が設けられている。
【請求項３】
権利要求２が述べる様に、張力フィルム構造の平面基材は、金属フィルム、或いは化学高分子フィルムや有機物フィルムで作られたものである。一層或いは多層の複合構造、或いは色々な形に切断したり、また異なる材質で複合構造にして組み立てても構わない。
【請求項４】
権利要求２が述べる様に、周りのエッジや平面基材やコンポジットの表面を光沢の面にしたり、或いは立体的な凹凸模様にしても、その効果を発揮させる事が出来る。
【請求項５】
権利要求２が述べる様に、張力フィルム構造は、形状や結合方式には制限が無くて、ハウジングにこのような構造の部品を取り付ける事により、有効な効果が発揮出来るし、張力フィルムを取り付ける事によって、要求する効果が達成出来る。
【考案の詳細な説明】
【技術分野】
【０００１】
本考案は、イヤホンの構造に関するものであり、具体的にはイヤホンのハウジングの内部に受動的な張力フィルム構造を追加する事である。
【背景技術】
【０００２】
本考案の張力フィルム構造を持ったイヤホンは、張力フィルム構造のフィルムが受動的に膨らむ事を利用して、振動板が振幅運動する際に生じる空気圧力によって発生する振動板の変形を抑える事が出来る。一般的な構造のイヤホンと比較しても張力フィルム構造を有したイヤホンの方が良い音を再生出来る。特に低音域に効力が発揮出来る。本考案の張力フィルム構造を持ったイヤホンは、張力フィルムが追加されハウジングの容積が小さく見えるが、容積の大きなイヤホンに匹敵する低音域が再生出来る。更に水中でも聴く事が出来る特徴があり、今迄の防水イヤホンでは、この様な構造は有していない。
【考案の概要】
【考案が解決しようとする課題】
【０００３】
一般的なイヤホンのユニットの動作原理は、印加された電流信号により、振動板が振動して音が放出される。また、イヤホンを耳に装着する際に、ぴったりと装着しようとしたり、耳の孔に入れようとすると、振動板に空気による圧力が加わり、振動板を変形させたり、異常音が発生したりする。
【０００４】
図４の様に、一般的なイヤホンの構造は、カバー、ハウジング、イヤーピース、フィルター、ユニットで組み合わされており、イヤーピースはカバーの凸端に被せて、その端の出口にフィルターが形成されている。ユニットはカバーに取り付けられており、ハウジングはカバーと組み合わせる構造に成る。イヤホンを耳に装着する時に、ユニットの振動板が装着する際の空気の圧力で振動板が変形したり、異常音が出るのを防ぐ為にカバーの上などに一つの孔、或いはそれ以上の孔を開けられている。この孔の影響で、イヤホンの左右の音質バランスを容易に取る事が困難である。
【課題を解決するための手段】
【０００５】
本考案の目的は、カバーに孔を開けなくても、振動板が変形しない事により、歪み等の異常音が発生しないし、迫力のある低音域が再生出来るし、また防水効果も発揮できる張力フィルム構造のイヤホンを提供する事である。
【０００６】
本考案は、以下の方法によって実現する事が出来る。
本考案は、張力を用いたフィルム構造を有するイヤホンである。
カバー、ハウジング、イヤーピース、フィルター、ユニットで組み立てられて、イヤーピースはカバーの凸端に被せて、その端の出口にフィルターが取り付けられ、ユニットはカバーに取り付けられており、ハウジングはカバーと組み合わせる構造に成る。この張力フィルム構造は、イヤホンを耳に装着する時に、ユニットの振動板が装着する際の空気の圧力で振動板が変形したり、歪み等の異常音が出るのを抑える事が出来る。
【０００７】
まずイヤホンのハウジングに張力フィルム構造が取り付けられて、ハウジングは密閉されている。そのハウジングに一つ、或いはそれ以上の張力フィルム構造を取り付ける事が出来る。イヤホンの構造によっては,他の方向に取り付ける事も出来る。
【０００８】
従って、張力フィルム構造は、色々な形状の構造にする事も可能である。一層或いは多層の複合構造、或いは色々な形に切断したり、また異なる材質で複合構造して組み立てても構わない。
【０００９】
材質の範囲は、金属フィルム、化学高分子フィルム、有機物フィルムなどで作られており、平面基材も金属フィルム、化学高分子フィルム、有機物フィルムで作られている。
【００１０】
上記案件を改善する為に、平面基材の上下表面にコンポジットが設けられている。そのコンポジットは、金属フィルム、化学高分子フィルム、有機物フィルムで作られている。
【００１１】
上記案件を改善する為に、平面基材の周りにエッジが取り付けられている。
【００１２】
上記案件を改善する為に、平面基材の一番外側に枠が取り付けられている。枠を設ける事により、簡単に張力フィルム構造を取り付ける事が出来る。
【００１３】
すなわち、本願の第１考案は、張力を用いたフィルム構造を有するイヤホンであり、カバー、ハウジング、イヤーピース、フィルター、ユニットで組み立てられて、イヤーピースはカバーの凸端に被せて、その端の出口にフィルターが取り付けられ、ユニットはカバーに取り付けられており、ハウジングはカバーと組み合わせてあり、ハウジングには張力フィルム構造が取り付けられ、ハウジングの端に凸部が設けられており、凸部とハウジングの構造は排気効果の関係になり、ハウジングの中に一つ或いはそれ以上の張力フィルム構造を有することを特徴とする。
また、本願の第２考案は、前記第１考案において、張力フィルム構造のイヤホンの特徴は、張力フィルム構造の平面基材と枠で組み立てられており、平面基材の上下表面にはコンポジットが設けられていて、平面基材の周りにエッジが取り付けられており、平面基材の一番外側に枠が設けてある構成としたことを特徴とする。
また、本願の第３考案は、前記第２考案において、張力フィルム構造の平面基材を、金属フィルム、或いは化学高分子フィルムや有機物フィルムで構成し、一層或いは多層の複合構造、或いは色々な形に切断したり、また異なる材質で複合構造にして組み立てても構わない構成としたことを特徴とする。
また、本願の第４考案は、前記第２考案において、周りのエッジや平面基材やコンポジットの表面を光沢の面としたり、或いは立体的な凹凸模様にしても、その効果を発揮させる事が出来るよう構成したことを特徴とする。
また、本願の第５考案は、前記第２考案において、張力フィルム構造は、形状や結合方式には制限を設けず、ハウジングにこのような構造の部品を取り付ける事により、有効な効果が発揮でき、且つ張力フィルムを取り付けたことを特徴とする。
【考案の効果】
【００１４】
本考案の張力フィルム構造のイヤホンは、張力フィルム構造のフィルムが膨らむ事によって、振幅運動する際に生じる空気圧力の影響による振動板の変形を抑える事が出来る。
本考案の張力フィルム構造のイヤホンは、張力フィルム構造のフィルムが取り付けられている事により、ハウジングが容積の小さな構造に思えるが、容積の大きなイヤホンに匹敵する低音域が再生出来る。
水の中で聞く事が出来る製品でもある。
勿論、今までの防水イヤホンにはこの様な構造は有していない。通常の電気信号を印加しても、従来のものよりもっと良い音が再生出来る。
【図面の簡単な説明】
【００１５】
【図１】本考案の張力構造イヤホン立体構造図。
【図２】図１の分解構造図。
【図３】図１の断面構造図。
【図４】旧式構造イヤホンの断面図。
【図５】本考案の張力構造の断面図と気流構造図。
【図６】張力フィルム構造の断面図。
【図７】特性比較図。
【考案を実施するための形態】
【００１６】
以下、本考案の実施の形態を、図に基づいて説明する。
【実施例】
【００１７】
本考案は、張力を用いたフィルム構造を有するイヤホンである。
カバー、ハウジング、イヤーピース、フィルター、ユニットで組み立てられて、イヤーピースはカバーの凸端に被せて、その端の出口にフィルターが取り付けられ、ユニットはカバーに取り付けられており、ハウジングはカバーと組み合わせる構造に成る。ハウジングに張力フィルム構造が取り付けられ、ハウジングの端に凸部が設けられている。凸部とハウジングの構造は排気効果の関係になる。また、ハウジングの中に一つ或いはそれ以上の張力フィルム構造を設ける事が出来る。
【００１８】
図５のように、張力フィルム構造が取り付けられたので、ユニットの振動板は、振動板の振動運動により、イヤホンを耳に掛ける時に生じる空気の圧力は、直接張力フィルム構造を振動して、膨らみが発生して、イヤホンを掛ける時と音を聞く時に、振動板の振幅運動による歪み等の異常音が発生しない様になる。
【００１９】
図６の様に、張力フィルム構造は、平面基材と枠で組み立てられている。平面基材の上下表面にコンポジットが設けられ、平面基材の周りにエッジが取り付けられている。平面基材の一番外側に枠が設けられている。
【００２０】
平面基材やコンポジットは、金属フィルム、或いは化学高分子フィルムや有機物フィルムで作られたものである。枠は作業し易くする為に、設置されたものであり、無くてもその効能に影響する事は無い。エッジの形状や平面基材の形状やコンポジットの形状は、イヤホン内部のスペースを考慮して設計されて、多様な色々な形状にする事が出来る。一層或いは多層の複合構造、或いは色々な形に切断したり、また異なる材質で複合構造して組み立てても構わない。材質の範囲は、金属フィルム、化学高分子フィルム、有機物フィルムなどで作られて、平面基材も含めている。その平面基材は、金属フィルム、化学高分子フィルム、有機物フィルムなどで作られている。形状や結合方式には制限が無くて、この様な構造の部品を設ける事により、有効な効果が発揮出来て、張力フィルムを設ける事によって、要求する効果が達成出来る。
【００２１】
本考案の張力フィルム構造のイヤホンと一般的なイヤホンのハウジングの内部容積を特性で比べた結果をご参照ください。一般的なイヤホンは点線で示しており、本考案の張力フィルム構造取り付けイヤホンは実線で示している。新案の張力フィルム構造のイヤホンが動作する時、ユニットは張力フィルム構造が膨らむ事によって、変化がもたらされて、明らかに音圧が向上されて、非常に良質の低音域が再生された。
【符号の説明】
【００２２】
１  カバー
２  ハウジング
３  イヤーピース
４  フィルター
５  凸端
６  ユニット
７  張力フィルム構造
８  デコ
９  振動板
１０  内部容積
１１  排気功能
１２  平面基材
１３  エッジ
１４、１６  コンポジット
１５  枠
【図１】
0003181496.tif 000003
【図２】
0003181496.tif 000004
【図３】
0003181496.tif 000005
【図４】
0003181496.tif 000006
【図５】
0003181496.tif 000007
【図６】
0003181496.tif 000008
【図７】
0003181496.tif 000009
【手続補正書】
【提出日】平成24年12月3日(2012.12.3)
【手続補正１】
【補正対象書類名】実用新案登録請求の範囲
【補正対象項目名】全文
【補正方法】変更
【補正の内容】
【実用新案登録請求の範囲】
【請求項１】
カバー、ハウジング、イヤーピース、フィルター、及び音声出力ユニットからなるイヤホンであって、
前記カバーの一端には、凸端を有し、
前記カバーには、前記音声出力ユニットを取り付け、
前記凸端の先端側開口部には、前記フィルターを取り付け、
前記凸端には、前記イヤーピースを被せ、
前記カバーの他端に前記ハウジングを嵌合し、
前記ハウジングの内部には、少なくとも一つの、空気圧力の影響によって振動し膨らむ、張力フィルム構造が取り付けられ、
前記ハウジングの、前記カバーの反対側の一端には凸部が取り付けられ、
前記ハウジングと前記凸部との間には外部と連通する隙間を有する事を特徴とする、
張力を用いたフィルム構造を有するイヤホン。
【請求項２】
前記張力フィルム構造は、平面基材と枠とからなり、前記平面基材の上下の表面にはコンポジットを設け、前記平面基材の周りにはエッジを有し、前記枠は、前記平面基材の外周の一番外側に設ける事を特徴とする、請求項１に記載の、張力を用いたフィルム構造を有するイヤホン。
【請求項３】
前記平面基材は、金属フィルム、化学高分子フィルム、または有機物フィルムの、一層または多層の複合構造からなる事を特徴とする、請求項２に記載の、張力を用いたフィルム構造を有するイヤホン。
【請求項４】
前記エッジ、前記平面基材、又は前記コンポジットの、少なくとも一つの表面を、光沢面、又は立体的な凸凹模様とする事を特徴とする、請求項２に記載の、張力を用いたフィルム構造を有するイヤホン。
【手続補正２】
【補正対象書類名】明細書
【補正対象項目名】全文
【補正方法】変更
【補正の内容】
【考案の詳細な説明】
【技術分野】
【０００１】
本考案は、イヤホンの構造に関するものであり、具体的にはイヤホンのハウジングの内部に受動的な張力フィルム構造を追加する事である。
【背景技術】
【０００２】
本考案の張力フィルム構造を持ったイヤホンは、張力フィルム構造のフィルムが受動的に膨らむ事を利用して、振動板が振幅運動する際に生じる空気圧力によって発生する振動板の変形を抑える事が出来る。一般的な構造のイヤホンと比較しても張力フィルム構造を有したイヤホンの方が良い音を再生出来る。特に低音域に効力が発揮出来る。本考案の張力フィルム構造を持ったイヤホンは、張力フィルムが追加されハウジングの容積が小さく見えるが、容積の大きなイヤホンに匹敵する低音域が再生出来る。更に水中でも聴く事が出来る特徴があり、今迄の防水イヤホンでは、この様な構造は有していない。
【考案の概要】
【考案が解決しようとする課題】
【０００３】
一般的なイヤホンの音声出力ユニットの動作原理は、印加された電流信号により、振動板が振動して音が放出される。また、イヤホンを耳に装着する際に、ぴったりと装着しようとしたり、耳の孔に入れようとすると、振動板に空気による圧力が加わり、振動板を変形させたり、異常音が発生したりする。
【０００４】
図４の様に、一般的なイヤホンの構造は、カバー、ハウジング、イヤーピース、フィルター、音声出力ユニットで組み合わされており、イヤーピースはカバーの凸端に被せて、その端の出口にフィルターが形成されている。音声出力ユニットはカバーに取り付けられており、ハウジングはカバーと組み合わせる構造に成る。イヤホンを耳に装着する時に、音声出力ユニットの振動板が装着する際の空気の圧力で振動板が変形したり、異常音が出るのを防ぐ為にカバーの上などに一つの孔、或いはそれ以上の孔を開けられている。この孔の影響で、イヤホンの左右の音質バランスを容易に取る事が困難である。
【課題を解決するための手段】
【０００５】
本考案の目的は、カバーに孔を開けなくても、振動板が変形しない事により、歪み等の異常音が発生しないし、迫力のある低音域が再生出来るし、また防水効果も発揮できる張力フィルム構造のイヤホンを提供する事である。
【０００６】
本考案は、以下の方法によって実現する事が出来る。
本考案は、張力を用いたフィルム構造を有するイヤホンである。
カバー、ハウジング、イヤーピース、フィルター、音声出力ユニットで組み立てられて、イヤーピースはカバーの凸端に被せて、その端の出口にフィルターが取り付けられ、音声出力ユニットはカバーに取り付けられており、ハウジングはカバーと組み合わせる構造に成る。この張力フィルム構造は、イヤホンを耳に装着する時に、音声出力ユニットの振動板が装着する際の空気の圧力で振動板が変形したり、歪み等の異常音が出るのを抑える事が出来る。
【０００７】
まずイヤホンのハウジングに張力フィルム構造が取り付けられて、ハウジングは密閉されている。そのハウジングに一つ、或いはそれ以上の張力フィルム構造を取り付ける事が出来る。イヤホンの構造によっては,他の方向に取り付ける事も出来る。
【０００８】
従って、張力フィルム構造は、色々な形状の構造にする事も可能である。一層或いは多層の複合構造、或いは色々な形に切断したり、また異なる材質で複合構造して組み立てても構わない。
【０００９】
材質の範囲は、金属フィルム、化学高分子フィルム、有機物フィルムなどで作られており、平面基材も金属フィルム、化学高分子フィルム、有機物フィルムで作られている。
【００１０】
上記案件を改善する為に、平面基材の上下表面にコンポジットが設けられている。そのコンポジットは、金属フィルム、化学高分子フィルム、有機物フィルムで作られている。
【００１１】
上記案件を改善する為に、平面基材の周りにエッジが取り付けられている。
【００１２】
上記案件を改善する為に、平面基材の一番外側に枠が取り付けられている。枠を設ける事により、簡単に張力フィルム構造を取り付ける事が出来る。
【００１３】
すなわち、本願の第１考案は、張力を用いたフィルム構造を有するイヤホンであり、カバー、ハウジング、イヤーピース、フィルター、音声出力ユニットで組み立てられて、イヤーピースはカバーの凸端に被せて、その端の出口にフィルターが取り付けられ、音声出力ユニットはカバーに取り付けられており、ハウジングはカバーと組み合わせてあり、ハウジングには張力フィルム構造が取り付けられ、ハウジングの端に凸部が設けられており、凸部とハウジングの構造は排気効果の関係になり、ハウジングの中に一つ或いはそれ以上の張力フィルム構造を有することを特徴とする。
また、本願の第２考案は、前記第１考案において、張力フィルム構造のイヤホンの特徴は、張力フィルム構造の平面基材と枠で組み立てられており、平面基材の上下表面にはコンポジットが設けられていて、平面基材の周りにエッジが取り付けられており、平面基材の一番外側に枠が設けてある構成としたことを特徴とする。
また、本願の第３考案は、前記第２考案において、張力フィルム構造の平面基材を、金属フィルム、或いは化学高分子フィルムや有機物フィルムで構成し、一層或いは多層の複合構造、或いは色々な形に切断したり、また異なる材質で複合構造にして組み立てても構わない構成としたことを特徴とする。
また、本願の第４考案は、前記第２考案において、周りのエッジや平面基材やコンポジットの表面を光沢の面としたり、或いは立体的な凹凸模様にしても、その効果を発揮させる事が出来るよう構成したことを特徴とする。
また、本願の第５考案は、前記第２考案において、張力フィルム構造は、形状や結合方式には制限を設けず、ハウジングにこのような構造の部品を取り付ける事により、有効な効果が発揮でき、且つ張力フィルムを取り付けたことを特徴とする。
【考案の効果】
【００１４】
本考案の張力フィルム構造のイヤホンは、張力フィルム構造のフィルムが膨らむ事によって、振幅運動する際に生じる空気圧力の影響による振動板の変形を抑える事が出来る。
本考案の張力フィルム構造のイヤホンは、張力フィルム構造のフィルムが取り付けられている事により、ハウジングが容積の小さな構造に思えるが、容積の大きなイヤホンに匹敵する低音域が再生出来る。
水の中で聞く事が出来る製品でもある。
勿論、今までの防水イヤホンにはこの様な構造は有していない。通常の電気信号を印加しても、従来のものよりもっと良い音が再生出来る。
【図面の簡単な説明】
【００１５】
【図１】本考案の張力構造イヤホン立体構造図。
【図２】図１の分解構造図。
【図３】図１の断面構造図。
【図４】旧式構造イヤホンの断面図。
【図５】本考案の張力構造の断面図と気流構造図。
【図６】張力フィルム構造の断面図。
【図７】特性比較図。
【考案を実施するための形態】
【００１６】
以下、本考案の実施の形態を、図に基づいて説明する。
【実施例】
【００１７】
本考案は、張力を用いたフィルム構造を有するイヤホンである。
カバー、ハウジング、イヤーピース、フィルター、音声出力ユニットで組み立てられて、イヤーピースはカバーの凸端に被せて、その端の出口にフィルターが取り付けられ、音声出力ユニットはカバーに取り付けられており、ハウジングはカバーと組み合わせる構造に成る。ハウジングに張力フィルム構造が取り付けられ、ハウジングの端に凸部が設けられている。凸部とハウジングの構造は排気効果の関係になる。また、ハウジングの中に一つ或いはそれ以上の張力フィルム構造を設ける事が出来る。
【００１８】
図５のように、張力フィルム構造が取り付けられたので、音声出力ユニットの振動板は、振動板の振動運動により、イヤホンを耳に掛ける時に生じる空気の圧力は、直接張力フィルム構造を振動して、膨らみが発生して、イヤホンを掛ける時と音を聞く時に、振動板の振幅運動による歪み等の異常音が発生しない様になる。
【００１９】
図６の様に、張力フィルム構造は、平面基材と枠で組み立てられている。平面基材の上下表面にコンポジットが設けられ、平面基材の周りにエッジが取り付けられている。平面基材の一番外側に枠が設けられている。
【００２０】
平面基材やコンポジットは、金属フィルム、或いは化学高分子フィルムや有機物フィルムで作られたものである。枠は作業し易くする為に、設置されたものであり、無くてもその効能に影響する事は無い。エッジの形状や平面基材の形状やコンポジットの形状は、イヤホン内部のスペースを考慮して設計されて、多様な色々な形状にする事が出来る。一層或いは多層の複合構造、或いは色々な形に切断したり、また異なる材質で複合構造して組み立てても構わない。材質の範囲は、金属フィルム、化学高分子フィルム、有機物フィルムなどで作られて、平面基材も含めている。その平面基材は、金属フィルム、化学高分子フィルム、有機物フィルムなどで作られている。形状や結合方式には制限が無くて、この様な構造の部品を設ける事により、有効な効果が発揮出来て、張力フィルムを設ける事によって、要求する効果が達成出来る。
【００２１】
本考案の張力フィルム構造のイヤホンと一般的なイヤホンのハウジングの内部容積を特性で比べた結果をご参照ください。一般的なイヤホンは点線で示しており、本考案の張力フィルム構造取り付けイヤホンは実線で示している。新案の張力フィルム構造のイヤホンが動作する時、音声出力ユニットは張力フィルム構造が膨らむ事によって、変化がもたらされて、明らかに音圧が向上されて、非常に良質の低音域が再生された。
【符号の説明】
【００２２】
１  カバー
２  ハウジング
３  イヤーピース
４  フィルター
５  凸端
６  音声出力ユニット
７  張力フィルム構造
８  凸部
９  振動板
１０  内部容積
１１  排気功能
１２  平面基材
１３  エッジ
１４、１６  コンポジット
１５  枠